(57)【要約】【課題】テレビを視聴していないときでも、電子番組案内を、低消費電力で、かつ、リアルタイムに取得する。【解決手段】コンテンツ表示処理装置１は、主電源部７１により駆動する高速無線通信部３１と、主電源部７１がオフであっても副電源部７２により駆動する低速無線通信部３２と、主電源部７１がオンであるか否かを検出する電源状態検出部１１と、上記検出の結果、主電源がオフであるとき、上記第２通信部を用いて上記コンテンツ選択情報を受信する番組情報取得部１３２とを備える。これにより、ユーザがコンテンツ表示処理装置１にてデジタル放送を視聴していないとき（つまり、主電源部７１がオフのとき）であっても、低速無線通信部３２を介して、電子番組案内を取得することができるため、コンテンツ表示処理装置１は、低消費電力で、かつ、リアルタイムに電子番組案内を取得することができる。【選択図】図１
2009253528.tif 000002
【特許請求の範囲】
【請求項１】
表示部に表示するコンテンツを外部から受信する、主電源により駆動する第１通信部を備えるコンテンツ表示処理装置であって、
上記コンテンツを選択するためのコンテンツ選択情報を外部から受信可能な、上記主電源がオフ時に副電源により駆動する第２通信部と、
上記主電源がオンであるか否かを検出する電源状態検出手段と、
上記検出の結果、主電源がオフであるとき、上記第２通信部を用いて上記コンテンツ選択情報を受信するコンテンツ選択情報受信手段とを備えることを特徴とするコンテンツ表示処理装置。
【請求項２】
上記第２通信部の消費電力は、上記第１通信部の消費電力より少ないことを特徴とする請求項１に記載のコンテンツ表示処理装置。
【請求項３】
上記コンテンツは、デジタル放送番組であり、上記コンテンツ選択情報は、デジタル放送に多重化された電子番組案内であることを特徴とする請求項１または２に記載のコンテンツ表示処理装置。
【請求項４】
上記主電源がオフであるとき、上記第２通信部を用いて、外部に上記コンテンツ選択情報を要求するコンテンツ選択情報要求手段をさらに備えることを特徴とする請求項１から３のいずれか１項に記載のコンテンツ表示処理装置。
【請求項５】
上記コンテンツ選択情報要求手段は、予め定められた所定時刻を経過したとき、上記コンテンツ選択情報を要求することを特徴とする請求項４に記載のコンテンツ表示処理装置。
【請求項６】
上記コンテンツ選択情報要求手段は、上記コンテンツ選択情報に更新がある旨の通知を外部から受信したとき、上記コンテンツ選択情報を要求することを特徴とする請求項４に記載のコンテンツ表示処理装置。
【請求項７】
上記コンテンツ選択情報要求手段は、上記コンテンツ選択情報の更新有無を外部に問合せることを特徴とする請求項６に記載のコンテンツ表示処理装置。
【請求項８】
表示部に表示するコンテンツを外部から受信する、主電源により駆動する第１通信部と、上記コンテンツを選択するためのコンテンツ選択情報を上記外部から受信可能な、上記主電源がオフ時に副電源により駆動する第２通信部とを備えるコンテンツ表示処理装置のコンテンツ表示処理方法であって、
上記主電源がオンであるか否かを検出する電源状態検出ステップと、
上記検出の結果、主電源がオフであるとき、上記第２通信部を用いて上記コンテンツ選択情報を受信するコンテンツ選択情報受信ステップとを含むことを特徴とするコンテンツ表示処理方法。
【請求項９】
請求項１から７のいずれか１項に記載のコンテンツ表示処理装置と、
外部から受信した上記コンテンツ、および、外部から受信した上記コンテンツ選択情報を、上記コンテンツ表示処理装置に中継するコンテンツ中継処理装置とを含むことを特徴とするコンテンツ表示処理システム。
【請求項１０】
請求項１から７のいずれか１項に記載のコンテンツ表示処理装置としてコンピュータを機能させるためのコンテンツ表示処理プログラムであって、コンピュータを上記の各手段として機能させるためのコンテンツ表示処理プログラム。
【請求項１１】
請求項１０に記載のコンテンツ表示処理プログラムを記録したコンピュータ読み取り可能な記録媒体。
【発明の詳細な説明】
【技術分野】
【０００１】
本発明は、デジタル放送に多重化されたＥＰＧ（登録商標）（電子番組案内）の情報を、低消費電力で、かつ、リアルタイムに取得するコンテンツ表示処理装置、コンテンツ表示処理方法、コンテンツ表示処理システム、コンテンツ表示処理プログラム、およびコンテンツ表示処理プログラムを記録したコンピュータ読み取り可能な記録媒体に関するものである。
【背景技術】
【０００２】
近年、薄型で軽量化された、いわゆる壁掛けテレビシステムが普及してきている。このような壁掛けテレビシステムを実現するにあたり、一般的には、チューナを含む中継ボックスと、表示部とを分離し、表示部のみを壁掛けする構成とすることにより、薄型かつ軽量化を図っている。
【０００３】
このような壁掛けテレビシステムでは、表示部を壁掛けする際の利便性を高めるために、中継ボックスと表示部とは有線接続されていないことが望ましい。そのため、中継ボックスと表示部との通信は、無線通信にて実現するのが一般的である。
【０００４】
図１０を参照しながら、一般的な壁掛けテレビシステムの接続構成例について説明する。図１０は、一般的な壁掛けテレビシステムの接続構成例を示す概略図である。図１０に示すように、内部にチューナ５０３を備える中継ボックス５０２と表示部５０１とは分離された構成となっている。
【０００５】
そして、中継ボックス５０２から表示部５０１に対して映像信号および音声信号を伝送するとともに、中継ボックス５０２と表示部５０１との間で制御信号のやりとりを行なう方法が種々提案されている。特に、中継ボックス５０２と表示部５０１との間でやりとりするデータのうち、映像信号および音声信号と、制御信号とで、無線通信部を使い分ける方法が提案されている。すなわち、映像信号および音声信号については、一般的にデータ量が大きいため、高速で大容量のデータ送信が可能な無線通信部を用いてやりとりし、一方、制御信号については、映像信号および音声信号に比べてデータ量が小さいため、低速で低容量のデータ送信を行なう無線通信部を用いてやりとりするという方法である。なお、高速で大容量のデータ送信が可能な無線通信部の消費電力は、例えば、数ワット程度を想定している。一方、低速で低容量のデータ送信を行なう無線通信部の消費電力は、例えば、数十ミリワット程度以下を想定している。そのため、高速で大容量のデータ送信が可能な無線通信部は、低速で低容量のデータ送信を行なう無線通信部と比較すると、消費電力が大きい。
【０００６】
また、中継ボックス５０２は、テレビ放送を受信するアンテナ５０４の他に、家庭内にあるゲーム機５０６、ＤＶＤなどの録画再生装置５０５Ａ、ＰＣ（Personal Computer）５０８、防犯カメラ５０９、および中継ボックス５０２とは異なる部屋に設置されている録画再生装置５０５Ｂといった、他の映像装置とも接続可能となっていることが多い。
そして、中継ボックス５０２は、それぞれの映像装置にて再生されるコンテンツを受信し、該受信したコンテンツを表示部５０１に送信する機能を備えている。これにより、壁掛けテレビシステムは、テレビ放送以外のコンテンツも表示可能な装置として使用することが可能となっている。
【０００７】
上記のように、中継ボックス５０２は他の映像装置とも接続可能とするために、中継ボックス５０２には、指定されたチャンネルのコンテンツを表示部５０１に送信するという単純な機能のみを設け、一方、テレビ視聴のための主たる機能（映像の表示、音量や明るさなどの調整、リモコンとの信号の送受信、デジタル放送のデータ解析など）は表示部５０１に設ける構成とするのが通例となっている。
【０００８】
ところで、デジタル放送の普及に伴い、電子番組案内（以下、ＥＰＧ（登録商標）と表記）が放送に多重化されて提供されるようになっている。そして、ＥＰＧ（登録商標）を利用した、番組の録画予約や、ＥＰＧ（登録商標）を利用した、番組選択のための表示形式の工夫が広く行われるようになっている。
【０００９】
内部にチューナ５０３を備える中継ボックス５０２と表示部５０１とが分離された壁掛けテレビシステムにおいて、デジタル放送からＥＰＧ（登録商標）を取得して解析する処理は、上述したように、表示部５０１において実施するのが通例である。ここで、ＥＰＧ（登録商標）に含まれる番組情報は、随時変更が生じる。したがって、常に最新の番組情報を入手するためには、テレビ放送を視聴していなくても表示部５０１の電源を常時オン状態にしておく必要がある。しかしながら、この場合、壁掛けテレビシステムの消費電力が無駄に大きくなってしまうという問題が生じる。
【００１０】
このような状況を踏まえて、ＥＰＧ（登録商標）などの番組情報の取得に関して、放送受信装置の消費電力を低減する技術が開示されている（特許文献１、２、および３参照）。特許文献１では、番組情報を送出する装置から、番組変更や緊急放送などがあることを通知する起動信号を送出するという技術が開示されている。そして、受信装置では、該起動信号を受信すると、予約中の番組の変更情報や緊急放送を受信する入力手段を起動し、必要な情報の取得および更新が終了すれば、上記入力手段への電力供給を停止する構成としている。
【００１１】
また、特許文献２では、複数の受信装置のうちの１台だけが常時稼働して番組情報などを受信するという技術が開示されている。そして、常時稼動していない受信装置は、必要なときのみ電源をオンにし、電源オフの間に送信された番組情報などを、常時稼働している受信装置から取得する構成としている。
【００１２】
また、特許文献３では、リモコンがデジタル放送を受信し、ＥＰＧ（登録商標）などの情報を解析および保持するという技術が開示されている。そして、受信装置は、リモコンからＥＰＧ（登録商標）などの情報を受信し、該受信した情報と、自装置で保持している情報とを比較して、最新の情報を保持する構成としている。
【特許文献１】特開平１１−１９６３４２号公報（公開日：平成１１年７月２１日）
【特許文献２】特開平１１−２６１５０３号公報（公開日：平成１１年９月２４日）
【特許文献３】特開２００６−４１８２７号公報（公開日：平成１８年２月９日）
【発明の開示】
【発明が解決しようとする課題】
【００１３】
特許文献１にて開示されている技術では、起動信号を受信すると、予約中の番組の変更情報や緊急放送を受信する入力手段を起動する。すなわち、上記入力手段を常時起動しないようにすることにより、消費電力の低減を図っている。
【００１４】
しかしながら、この技術を、背景技術の欄にて説明したような、中継ボックス５０２と表示部５０１とが分離した壁掛けテレビシステムに適用すると、起動信号により表示部５０１を起動し、放送を受信することとなる。そして、受信した放送からＥＰＧ（登録商標）などの情報を解析し、蓄積をする。ここで、放送の受信は、上述したように、高速で大容量のデータ送信が可能な無線通信部を用いて行われる。したがって、テレビを視聴しないときであっても、起動信号を受信すると、消費電力の大きい無線通信部を用いて放送を受信することとなり、消費電力の低減にはならないという問題点がある。
【００１５】
また、特許文献２にて開示されている技術では、常時稼動していない受信装置の電源を必要に応じてオンにし、電源オフの間に送信された番組情報などを、常時稼働している１台の受信装置から取得する。すなわち、常時稼動する受信装置を１台だけすることにより、システム全体としての消費電力の低減を図っている。
【００１６】
しかしながら、この技術を、背景技術の欄にて説明したような、中継ボックス５０２と表示部５０１とが分離した壁掛けテレビシステムに適用すると、表示部５０１の電源がオンになったとき、ＥＰＧ（登録商標）などの情報を要求する信号を送出し、表示部５０１の電源がオフのときに稼動していた他の装置に記憶されているＥＰＧ（登録商標）などの情報を取得することとなる。したがって、表示部５０１の電源をオンにした時点ですぐに最新の番組情報を表示することができないという問題点がある。
【００１７】
また、特許文献３にて開示されている技術では、リモコンがデジタル放送を受信し、ＥＰＧ（登録商標）などの情報を解析および保持する。すなわち、受信装置を稼動させなくても、リモコンがデジタル放送を受信するため、リモコンから最新のＥＰＧ（登録商標）などの情報を取得できる。
【００１８】
しかしながら、この技術を用いるためには、放送を受信するアンテナや、デコーダなどをリモコンに搭載する必要があるため、リモコンの製造コストが大きくなるという問題点がある。また、一般的に電池で駆動するリモコンにとって、通常より大きな消費電力が必要となるという問題点がある。
【００１９】
本発明は、上記の問題点に鑑みてなされたものであり、その目的は、デジタル放送に多重化されたＥＰＧ（登録商標）などの情報を、低い消費電力で、かつ、リアルタイムに取得するコンテンツ表示処理装置、コンテンツ表示処理方法、コンテンツ表示処理システム、コンテンツ表示処理プログラム、およびコンテンツ表示処理プログラムを記録したコンピュータ読み取り可能な記録媒体を提供することにある。
【課題を解決するための手段】
【００２０】
上記課題を解決するために、本発明に係るコンテンツ表示処理装置は、表示部に表示するコンテンツを外部から受信する、主電源により駆動する第１通信部を備えるコンテンツ表示処理装置であって、上記コンテンツを選択するためのコンテンツ選択情報を外部から受信可能な、上記主電源がオフ時に副電源により駆動する第２通信部と、上記主電源がオンであるか否かを検出する電源状態検出手段と、上記検出の結果、主電源がオフであるとき、上記第２通信部を用いて上記コンテンツ選択情報を受信するコンテンツ選択情報受信手段とを備えることを特徴としている。
【００２１】
また、本発明に係るコンテンツ表示処理方法は、表示部に表示するコンテンツを外部から受信する、主電源により駆動する第１通信部と、上記コンテンツを選択するためのコンテンツ選択情報を上記外部から受信可能な、上記主電源がオフ時に副電源により駆動する第２通信部とを備えるコンテンツ表示処理装置のコンテンツ表示処理方法であって、上記主電源がオンであるか否かを検出する電源状態検出ステップと、上記検出の結果、主電源がオフであるとき、上記第２通信部を用いて上記コンテンツ選択情報を受信するコンテンツ選択情報受信ステップとを含むことを特徴としている。
【００２２】
上記の構成によれば、主電源がオンであるか否かを検出することができる。そして、検出の結果、主電源がオフであるとき、上記第２通信部を用いて上記コンテンツ選択情報を受信することができる。なお、主電源がオンであるときは、上記第１通信部にてコンテンツを受信することができる。
【００２３】
よって、主電源がオンであるか否かに応じて、上記第１通信部にてコンテンツを受信することと、上記第２通信部を用いて上記コンテンツ選択情報を受信することとを切り替えることができる。そして、主電源がオフのとき（すなわち上記コンテンツを受信しないとき）であっても、上記コンテンツ選択情報を取得することができる。
【００２４】
したがって、主電源がオフのとき（すなわち上記コンテンツを受信しないとき）であっても、上記コンテンツを選択するための上記コンテンツ選択情報を取得することができるという効果を奏する。
【００２５】
さらに、本発明に係るコンテンツ表示処理装置は、上記第２通信部の消費電力は、上記第１通信部の消費電力より少ないものであってもよい。
【００２６】
上記の構成によれば、さらに、上記コンテンツ選択情報を受信する上記第２通信部の消費電力は、上記第１通信部の消費電力より少ない。
【００２７】
よって、主電源がオンであるか否かに応じて、上記第１通信部にてコンテンツを受信することと、上記第１通信部の消費電力より少ない消費電力の上記第２通信部を用いて上記コンテンツ選択情報を受信することとを切り替えることができる。
【００２８】
したがって、主電源がオフのとき（すなわち上記コンテンツを受信しないとき）であっても、上記第１通信部の消費電力より少ない消費電力で上記コンテンツ選択情報を取得することができるという効果を奏する。
【００２９】
さらに、本発明に係るコンテンツ表示処理装置は、上記コンテンツは、デジタル放送番組であり、上記コンテンツ選択情報は、デジタル放送に多重化された電子番組案内であってもよい。
【００３０】
上記の構成によれば、さらに、上記コンテンツは、デジタル放送番組であり、上記コンテンツ選択情報は、デジタル放送に多重化された電子番組案内である。
【００３１】
よって、主電源がオンであるか否かに応じて、デジタル放送番組を受信することと、電子番組案内を受信することとを切り替えることができる。
【００３２】
したがって、主電源がオフのとき（すなわちデジタル放送番組を受信しないとき）であっても、デジタル放送番組を選択するための電子番組案内を取得することができるという効果を奏する。
【００３３】
さらに、本発明に係るコンテンツ表示処理装置は、上記主電源がオフであるとき、上記第２通信部を用いて、外部に上記コンテンツ選択情報を要求するコンテンツ選択情報要求手段を備える構成としてもよい。
【００３４】
上記の構成によれば、さらに、上記主電源がオフであるとき、上記第２通信部を用いて、外部に上記コンテンツ選択情報を要求することができる。
【００３５】
よって、コンテンツ表示処理装置側からの要求に基づいて上記コンテンツ選択情報を取得することができる。
【００３６】
したがって、上記コンテンツ選択情報を要求したときだけ上記第２通信部を用いることとなり、上記第２通信部の電力消費を抑えることができるという効果を奏する。
【００３７】
さらに、本発明に係るコンテンツ表示処理装置は、予め定められた所定時刻を経過したとき、上記コンテンツ選択情報を要求する構成としてもよい。
【００３８】
上記の構成によれば、さらに、予め定められた所定時刻を経過したとき、上記コンテンツ選択情報を要求することができる。
【００３９】
よって、予め定められた所定時刻を経過したときだけ、上記第２通信部を用いるようにすることができるとともに、予め定められた所定時刻を経過したときは、最新の電子番組案内を取得することができる。
【００４０】
したがって、上記第２通信部の電力消費を抑えることができるとともに、例えば、定期的に、最新のコンテンツ選択情報を取得することができるという効果を奏する。
【００４１】
さらに、本発明に係るコンテンツ表示処理装置は、上記コンテンツ選択情報に更新がある旨の通知を外部から受信したとき、上記コンテンツ選択情報を要求する構成としてもよい。
【００４２】
上記の構成によれば、さらに、上記コンテンツ選択情報に更新がある旨の通知を外部から受信したとき、上記コンテンツ選択情報を要求することができる。
【００４３】
よって、上記コンテンツ選択情報に更新がある旨の通知を外部から受信したときだけ、上記第２通信部を用いるようにすることができるとともに、上記コンテンツ選択情報に更新がある旨の通知を受けているので、最新のコンテンツ選択情報を取得することができる。
【００４４】
したがって、上記第２通信部の電力消費をさらに抑えることができるとともに、リアルタイムに、最新のコンテンツ選択情報を取得することができるという効果を奏する。
【００４５】
さらに、本発明に係るコンテンツ表示処理装置は、上記コンテンツ選択情報の更新有無を外部に問合せる構成としてもよい。
【００４６】
上記の構成によれば、さらに、上記コンテンツ選択情報の更新有無を外部に問合せることができる。
【００４７】
よって、コンテンツ選択情報が必要となったとき上記問合せを行い、該問合せに対する応答として、ある旨の通知を外部から受信したときだけ、上記第２通信部を用いるようにすることができるとともに、上記コンテンツ選択情報に更新がある旨の通知を受けているので、最新のコンテンツ選択情報を取得することができる。
【００４８】
したがって、上記第２通信部の電力消費をさらに抑えることができるとともに、コンテンツ選択情報が必要なときに、リアルタイムに、最新のコンテンツ選択情報を取得することができるという効果を奏する。
【００４９】
本発明に係るコンテンツ表示処理システムは、上記コンテンツ表示処理装置と、外部から受信した上記コンテンツ、および、外部から受信した上記コンテンツ選択情報を、上記コンテンツ表示処理装置に中継するコンテンツ中継処理装置とを含むことを特徴としている。
【００５０】
上記の構成によれば、上記コンテンツ中継処理装置は、上記コンテンツおよび上記コンテンツ選択情報を外部から受信する。さらに、上記コンテンツ表示処理装置は、上記コンテンツ中継処理装置が受信した上記コンテンツを第１通信部を用いて取得するとともに、上記コンテンツ中継処理装置が受信した上記コンテンツ選択情報を第２通信部を用いて取得することができる。
【００５１】
よって、上記コンテンツ表示処理装置は、主電源がオフのとき（すなわち上記コンテンツを受信しないとき）であっても、上記コンテンツ中継処理装置が外部から受信した上記コンテンツ選択情報を取得することができる。
【００５２】
したがって、主電源がオフのとき（すなわち上記コンテンツを受信しないとき）であっても、上記コンテンツを選択するための上記コンテンツ選択情報を、外部から上記コンテンツ中継処理装置を介して取得することができるという効果を奏する。
【００５３】
なお、コンテンツ表示処理装置は、コンピュータによって実現してもよく、この場合には、コンピュータを上記各手段として動作させることにより上記コンテンツ表示処理装置をコンピュータにて実現させるコンテンツ表示処理装置の制御プログラム、およびそれを記録したコンピュータ読み取り可能な記録媒体も、本発明の範疇に入る。
【発明の効果】
【００５４】
以上のように、本発明に係るコンテンツ表示処理装置は、表示部に表示するコンテンツを外部から受信する、主電源により駆動する第１通信部を備えるコンテンツ表示処理装置であって、上記コンテンツを選択するためのコンテンツ選択情報を外部から受信可能な、上記主電源がオフ時に副電源により駆動する第２通信部と、上記主電源がオンであるか否かを検出する電源状態検出手段と、上記検出の結果、主電源がオフであるとき、上記第２通信部を用いて上記コンテンツ選択情報を受信するコンテンツ選択情報受信手段とを備えている。
【００５５】
また、本発明に係るコンテンツ表示処理方法は、表示部に表示するコンテンツを外部から受信する、主電源により駆動する第１通信部と、上記コンテンツを選択するためのコンテンツ選択情報を上記外部から受信可能な、上記主電源がオフ時に副電源により駆動する第２通信部とを備えるコンテンツ表示処理装置のコンテンツ表示処理方法であって、上記主電源がオンであるか否かを検出する電源状態検出ステップと、上記検出の結果、主電源がオフであるとき、上記第２通信部を用いて上記コンテンツ選択情報を受信するコンテンツ選択情報受信ステップとを含んでいる。
【００５６】
よって、主電源がオンであるか否かに応じて、上記第１通信部にてコンテンツを受信することと、上記第２通信部を用いて上記コンテンツ選択情報を受信することとを切り替えることができる。そして、主電源がオフのとき（すなわち上記コンテンツを受信しないとき）であっても、上記コンテンツ選択情報を取得することができる。
【００５７】
したがって、主電源がオフのとき（すなわち上記コンテンツを受信しないとき）であっても、上記コンテンツを選択するための上記コンテンツ選択情報を取得することができるという効果を奏する。
【発明を実施するための最良の形態】
【００５８】
本発明の一実施形態について図１から図９に基づいて説明すると以下のとおりである。
【００５９】
本実施形態では、コンテンツとして、特に、デジタル放送番組を例に挙げ、また、コンテンツ選択情報として、特に、電子番組案内（以下、ＥＰＧ（登録商標）と表記）を例に挙げ、コンテンツ表示処理装置１がＥＰＧ（登録商標）を取得する形態について説明する。
【００６０】
（コンテンツ表示システムの全体構成）
図２を参照しながら、本実施形態に係るコンテンツ表示システム４００について説明する。図２は、コンテンツ表示システム４００の概略構成を示すブロック図である。
【００６１】
図２に示すように、コンテンツ表示システム４００は、コンテンツ表示処理装置１、コンテンツ中継処理装置２、アンテナ４、および録画再生装置５を含んでいる。
【００６２】
なお、図２に示すコンテンツ表示システム４００の構成は一例にすぎず、この構成に限定されるものではない。すなわち、背景技術の欄にて説明した中継ボックス５０２のように、コンテンツ中継処理装置２は、さらに、ゲーム機、ＰＣ、防犯カメラといった他の映像装置と接続していてもよいが、発明の本質的部分ではないので、ここでは図示および説明を省略する。
【００６３】
（各装置の概要）
コンテンツ表示処理装置１は、コンテンツ中継処理装置２から送信される、デジタル放送、および、デジタル放送に多重化されたＥＰＧ（登録商標）の情報を受信し、上記コンテンツおよびＥＰＧ（登録商標）の情報を自装置の表示部や音声出力部に出力する処理を行なう。また、コンテンツ表示処理装置１は、リモコン７などの入力操作デバイスにより、ユーザからのチャンネル選局や、コンテンツ表示処理装置１の電源をオンまたはオフする指示などの入力操作を受けつけ、該入力操作に対応する制御信号をコンテンツ中継処理装置２に対して送信する。
【００６４】
また、コンテンツ表示処理装置１は、電源として主電源と副電源とを備えており、主電源はオンとオフとを切替可能であるが、副電源はオンのままである。主電源をオンにすると、コンテンツ表示処理装置１が備える全ての機能に電力が供給される。一方、主電源をオフにすると、副電源が電力供給する機能のみが動作可能となる。
【００６５】
なお、副電源が電力供給する機能については後述するが、副電源では、ユーザがコンテンツ表示処理装置１にてコンテンツを視聴できないものとする。つまり、ユーザがコンテンツ表示処理装置１にてコンテンツを視聴する際は、主電源をオンにする指示を行なうものとする。
【００６６】
また、コンテンツ表示処理装置１は、映像の表示、音声の出力、入力操作の受けつけという機能だけでなく、テレビなどの表示処理装置が備える標準的な機能（音量や明るさの調整、デジタル放送のデータ解析などの機能）を備えているものとする。ただし、チャンネル選局については、コンテンツ中継処理装置２が備えるチューナ３が行なうものとし、コンテンツ表示処理装置１はチャンネル選局機能を備えていなくてもよいものとする。
【００６７】
本実施形態では、コンテンツ表示処理装置１として、特に、背景技術の欄にて説明したような、中継ボックス５０２と表示部５０１とが分離した壁掛けテレビシステムのうちの表示部５０１に該当する装置を想定しているが、上述した処理が可能な装置であればよく、ＰＣやＰＤＡ（personal digital assistant）などであってもよい。
【００６８】
次に、コンテンツ中継処理装置２は、コンテンツ表示処理装置１に対してコンテンツを中継するものである。本実施形態では、特に、コンテンツ中継処理装置２が、アンテナ４および録画再生装置５と通信可能に接続されている構成について説明するが、この構成に限定されるものではない。
【００６９】
コンテンツ中継処理装置２は、アンテナ４にて受信したデジタル放送から所定のチャンネルを選局して、コンテンツ表示処理装置１に中継する。そのために、コンテンツ中継処理装置２は、デジタル放送用の一般的なチューナ３を内部に備えて構成される。どのチャンネルを選局するかは、コンテンツ表示処理装置１にて受けつける、リモコン７からの入力操作に基づいて決定する。リモコン７からの入力操作は、後述する低速無線通信部でコンテンツ中継処理装置２に送られるものとする。
【００７０】
また、コンテンツ中継処理装置２は、自装置に接続される録画再生装置５から送信されるコンテンツおよびＥＰＧ（登録商標）の情報を、コンテンツ表示処理装置１に中継する。
【００７１】
また、コンテンツ中継処理装置２は、電源として主電源と副電源とを備え、主電源はオンとオフとを切替可能であるが、副電源はオンのままである。主電源をオンにすると、コンテンツ中継処理装置２が備える全ての機能に電力が供給される。主電源をオフにすると、コンテンツ中継処理装置２が備える全ての機能のうち、副電源が電力供給する機能のみが動作可能となる。副電源が電力供給する機能については後述するが、副電源では、コンテンツ表示処理装置１にデジタル放送を中継できないものとする。
【００７２】
なお、コンテンツ表示処理装置１の主電源をオンまたはオフする入力操作が、コンテンツ中継処理装置２に送られることにより、コンテンツ中継処理装置２の主電源が連動してオンまたはオフとなるものとする。
【００７３】
なお、コンテンツ表示処理装置１との通信は、後述するように複数の（本実施形態では２種類の）無線通信部を用いて行なう。
【００７４】
次に、アンテナ４は、デジタル放送波を受信し、該受信したデジタル放送波を、コンテンツ中継処理装置２および録画再生装置５に送信する。
【００７５】
次に、録画再生装置５は、コンテンツ中継処理装置２と通信可能に接続される外部機器であって、アンテナ４にて受信したデジタル放送番組を録画し、該録画したデジタル放送番組をコンテンツ中継処理装置２に送信する。なお、録画は、コンテンツ表示処理装置１およびコンテンツ中継処理装置２を介して送信される、リモコン７からの入力操作、または、録画再生装置５に設けられているボタンなどの入力操作に基づいて行われる。
【００７６】
また、録画再生装置５は、デジタル放送を録画するために、デジタル放送用の一般的なチューナ３’を内部に備えて構成される。
【００７７】
さらに、録画再生装置５は、アンテナ４にて受信したデジタル放送からＥＰＧ（登録商標）の情報を、一般的な方法で取得して、自装置に保存する。そして、外部からの要求、または、自装置内のタイマーなどのトリガに応じて、該保存しているＥＰＧ（登録商標）の情報をコンテンツ中継処理装置２に送信する。
【００７８】
なお、ユーザがコンテンツ表示処理装置１にてコンテンツを視聴していない場合であっても、ＥＰＧ（登録商標）の情報を取得できるように、録画再生装置５の電源は常時オンになっていることを想定している。そのため、録画再生装置５は、アンテナ４からのデジタル放送を常に受信しているものとする。
【００７９】
なお、上記では、コンテンツ中継処理装置２と接続される外部機器として録画再生装置５を例に挙げて説明したが、コンテンツ中継処理装置２と接続される外部機器は、必ずしも録画機能を備える必要は無い。コンテンツ中継処理装置２と接続される外部機器は、外部からの要求、または、自装置内のタイマーなどのトリガに応じて、ＥＰＧ（登録商標）情報を、コンテンツ中継処理装置２に送信する機能を備えていればよく、例えば、テレビなどであってもよい。
【００８０】
（コンテンツ表示処理装置１とコンテンツ中継処理装置２との通信）
本実施形態では、コンテンツ表示処理装置１とコンテンツ中継処理装置２との通信は、２種類の無線通信を用いて行なう。すなわち、映像信号および音声信号については、一般的にデータ量が大きいため、高速で大容量のデータ送信が可能な無線通信（以下、高速無線通信と称する）を用いて通信を行なう。一方、ＥＰＧ（登録商標）の情報、および、制御信号（チャンネル指定、電源のオン／オフ、コンテンツの切替などを指示する制御信号）については、映像信号および音声信号に比べてデータ量が小さいため、低速で低容量のデータ送信を行なう無線通信（以下、低速無線通信と称する）を用いて通信を行なう。
【００８１】
本実施形態では、これら２種類の無線通信方式は、いずれも一般的に用いられる通信方式を想定しており、特に限定されるものではない。また、テレビ放送の映像や音声を無線通信で送信する技術そのものや、低データ容量である一般的な制御信号を無線通信で送信する技術そのものは、広く知られている技術であるため、ここではその説明を省略する。
【００８２】
なお、本実施形態では、高速無線通信を行なう際の消費電力は、例えば、数ワット程度を想定しており、一方、低速無線通信を行なう際の消費電力は、例えば、数十ミリワット程度以下を想定している。そのため、低速無線通信は消費電力が小さいが、それに比べて、高速無線通信は消費電力が大きくなる。
【００８３】
また、映像信号および音声信号は、コンテンツ中継処理装置２からコンテンツ表示処理装置１へのみ送信され、また、制御信号の送信は、コンテンツ表示処理装置１とコンテンツ中継処理装置２との間で双方向でやりとりされるものとする。したがって、高速無線通信はコンテンツ中継処理装置２からコンテンツ表示処理装置１への片方向通信とし、低速無線通信は双方向通信を想定している。
【００８４】
また、上述したように、高速無線通信は消費電力が大きいので、映像信号および音声信号の送信が不要であるとき（すなわち、コンテンツ表示処理装置１にてコンテンツを視聴しないとき）は、節電のために電源をオフにしておくのが望ましい。しかしながら、低速無線通信は消費電力が小さいので、電源を常時オンにしておいても消費電力が大きな問題となることは少ない。
【００８５】
したがって、本実施形態では、後述する高速無線通信部は主電源で電力を供給し、後述する低速無線通信部は副電源で電力を供給する。そのため、低速無線通信部は常時動作可能となるので、コンテンツ表示処理装置１でコンテンツを視聴しないときでも、ＥＰＧ（登録商標）の情報、および、制御信号を、コンテンツ表示処理装置１とコンテンツ中継処理装置２との間で送受信可能となる。
【００８６】
なお、リモコン７からの入力操作に対応する制御信号は、コンテンツ表示処理装置１を介して、低速無線通信にてコンテンツ中継処理装置２へ送信することを想定しているが、逆に、リモコン７からコンテンツ中継処理装置２を介して、低速無線通信にてコンテンツ表示処理装置１へ送信してもよい。なお、リモコン７とコンテンツ表示処理装置１との通信、および、リモコン７とコンテンツ中継処理装置２との通信は、一般的な赤外線通信を想定している。
【００８７】
（コンテンツ表示システムにおける、ＥＰＧ（登録商標）の取得処理の概要）
上述した装置構成であるコンテンツ表示システム４００において、コンテンツ表示処理装置１がＥＰＧ（登録商標）を取得する方法の概略を説明する。
【００８８】
１）まず、コンテンツ表示処理装置１にてデジタル放送を視聴している場合における、ＥＰＧ（登録商標）の取得方法について説明する。この場合、コンテンツ表示処理装置１の主電源はオンであり、コンテンツ表示処理装置１およびコンテンツ中継処理装置２の高速無線通信部の電源もオンである。そして、アンテナ４にて受信したデジタル放送は、コンテンツ中継処理装置２を介して、高速無線通信にてコンテンツ表示処理装置１に中継される（図２においてＡ１およびＡ２で示す流れを参照）。そして、デジタル放送を受信したコンテンツ表示処理装置１は、該受信したデジタル放送を解析することによって、該受信したデジタル放送に多重化されているＥＰＧ（登録商標）を取得することができる。したがって、この場合、コンテンツ表示処理装置１は、最新のＥＰＧ（登録商標）を取得することができる。
【００８９】
２）次に、コンテンツ表示処理装置１にてデジタル放送を視聴していない場合における、ＥＰＧ（登録商標）の取得方法について説明する。この場合、コンテンツ表示処理装置１の主電源はオフであり、コンテンツ表示処理装置１およびコンテンツ中継処理装置２の高速無線通信部の電源もオフである。したがって、コンテンツ表示処理装置１は、コンテンツ中継処理装置２から高速無線通信にてデジタル放送を受信することはできない。
【００９０】
ところで、上述したように録画再生装置５の電源は常にオンであり、アンテナ４からのデジタル放送を常に受信している。そのため、録画再生装置５では、常にデジタル放送を解析し、ＥＰＧ（登録商標）の情報を取得することが可能である。さらに、コンテンツ表示処理装置１の主電源をオフにしていても、コンテンツ表示処理装置１およびコンテンツ中継処理装置２の低速無線通信部は、副電源で電力供給されているので、電源は常にオンである。
【００９１】
そこで、録画再生装置５で取得したＥＰＧ（登録商標）の情報を、コンテンツ中継処理装置２を介して、低速無線通信にてコンテンツ表示処理装置１に送信することにより、コンテンツ表示処理装置１は、最新のＥＰＧ（登録商標）を取得することができる（図２においてＢ１、Ｂ２およびＢ３で示す流れを参照）。これにより、コンテンツ表示処理装置１にてデジタル放送を視聴していない場合に、ＥＰＧ（登録商標）が変更された場合であっても、コンテンツ表示処理装置１は、最新のＥＰＧ（登録商標）を取得することが可能となる。しかも、副電源しか使用していないので、数十ミリワット程度以下という低消費電力で、最新のＥＰＧ（登録商標）を取得することが可能となる。
【００９２】
以上のように、コンテンツ表示処理装置１の主電源がオンであってもオフであっても、ＥＰＧ（登録商標）を取得することができる。特に、主電源がオフであっても、低消費電力でＥＰＧ（登録商標）を取得することができる。
【００９３】
なお、上述したように、コンテンツ表示処理装置１の主電源がオンであるときのＥＰＧ（登録商標）の取得方法と、コンテンツ表示処理装置１の主電源がオフであるときのＥＰＧ（登録商標）の取得方法とは、異なっている。
【００９４】
（コンテンツ表示処理装置の構成）
次に、図１を参照しながら、コンテンツ表示処理装置１の構成について説明する。図１は、本実施の一形態に係るコンテンツ表示処理装置１の構成を示すブロック図である。図１に示すようにコンテンツ表示処理装置１は、制御部１０、記憶部２０、無線通信部３０、表示部４０、音声出力部５０、リモコン通信部６０、および電源部７０を備えて構成される。なお、コンテンツ表示処理装置１は、さらに他の機能を含んで構成してもよいが、本発明の本質的部分ではないため、ここでは図示および説明を省略する。
【００９５】
制御部１０は、記憶部２０、無線通信部３０、表示部４０、音声出力部５０、リモコン通信部６０、および電源部７０の制御を行なうとともに、所定の演算処理を行なうものである。所定の演算処理としては、例えば、コンテンツ中継処理装置２からのデジタル放送の受信処理がある。制御部１０の詳細な構成については後述する。
【００９６】
次に、記憶部２０は、制御部１０で利用される各種データ、プログラムの実行によって得られたデータなどを記憶するものであり、ＲＡＭ（Random Access Memory）などの揮発性メモリ、および、ＲＯＭ（Read-Only Memory）やフラッシュメモリなどの不揮発性メモリで実現される。上記各種データは、記憶部２０内部の各種記憶部に記憶される。記憶部２０は、特に、コンテンツ・番組情報記憶部２１を含んでいる。コンテンツ・番組情報記憶部２１は、後述するデータ受信部１３にて得られた映像および音声信号、ならびに、ＥＰＧ（登録商標）の情報を記憶する。
【００９７】
なお、記憶部２０は、必ずしもコンテンツ表示処理装置１に備えられる必要はなく、外部記憶装置として、読み取り可能な状態でコンテンツ表示処理装置１に接続される構成でもあってもよい。
【００９８】
次に、無線通信部３０は、無線通信ネットワークを介して、コンテンツ中継処理装置２と通信するものであり、内部に、高速無線通信部３１および低速無線通信部３２を備えている。
【００９９】
高速無線通信部３１は、コンテンツ中継処理装置２から高速無線通信にて送信される、デジタル放送を受信する。高速無線通信部３１で受信されたデジタル放送は、後述するデータ解析部１３１へ送られる。
【０１００】
一方、低速無線通信部３２は、コンテンツ中継処理装置２から低速無線通信にて送信される、ＥＰＧ（登録商標）の情報を受信する。そして、該受信したＥＰＧ（登録商標）の情報を、後述する番組情報取得部１３２に送る。
【０１０１】
また、低速無線通信部３２は、コンテンツ中継処理装置２との間で低速無線通信にて制御信号を送受信する。特に、イベント処理部１５から送られる、電源オンまたは電源オフのユーザ指示に応じた制御信号を、コンテンツ中継処理装置２に送信する。さらに、イベント処理部１５から送られる、放送チャンネルの選局に応じた制御信号を、コンテンツ中継処理装置２に送信する。
【０１０２】
なお、コンテンツ中継処理装置２から受信した制御信号は、イベント処理部１５へ送信し、イベント処理部１５が該制御信号に基づいた処理を行なう。
【０１０３】
次に、表示部４０は、データ受信部１３にて得られる映像信号およびＥＰＧ（登録商標）の情報を表示するものであり、例えばＬＣＤ（Liquid Crystal Display：液晶表示装置）や、ＰＤＰ（プラズマディスプレイパネル）などの表示装置で構成される。
【０１０４】
次に、音声出力部５０は、データ受信部１３にて得られる音声信号を音声として出力するものであり、例えばスピーカで構成される。
【０１０５】
次に、リモコン通信部６０は、ユーザ操作によりリモコン７から送信される制御信号を受信するものである。そして、該受信した制御信号を後述するイベント処理部１５に送信する。
【０１０６】
次に、電源部７０は、制御部１０、記憶部２０、無線通信部３０、表示部４０、音声出力部５０、およびリモコン通信部６０に電力を供給するものであり、内部に、主電源部７１および副電源部７２を備えている。
【０１０７】
主電源部７１は、イベント処理部１５から送信される、電源オンの指示に応じて、コンテンツ表示処理装置１が備える機能全て（すなわち、制御部１０、記憶部２０、無線通信部３０、表示部４０、音声出力部５０、およびリモコン通信部６０を含む全ての機能）に電力を供給する。そして、イベント処理部１５から送信される、電源オフの指示に応じて、上記電力の供給を行なわないようにする。
【０１０８】
副電源部７２は、イベント処理部１５から送信される、電源オンまたは電源オフの指示に関わらず、常に、後述する電源状態検出部１１、後述する受信データ切替指示部１２、後述する番組情報取得部１３２、後述するイベント処理部１５、記憶部２０、低速無線通信部３２、およびリモコン通信部６０（すなわち、図１においてグレー色を付けた部材）に電力を供給する。
【０１０９】
なお、本実施形態では、電源部７０が主電源部７１と副電源部７２とを備える構成としたが、コンテンツ表示処理装置１が備える機能群のうち、テレビ視聴の有無に応じて電力を供給または停止する機能群と、常時電力を供給しておく機能群とに分けておき、１つの電源から、上記分けた機能群のそれぞれへ電力供給を制御する構成としてもよい。
【０１１０】
次に、制御部１０について、詳細に説明する。制御部１０は、電源状態検出部１１と、受信データ切替指示部１２と、データ受信部１３と、データ出力部１４と、イベント処理部１５とを含んでいる。
【０１１１】
電源状態検出部１１は、主電源部７１の電源がオンであるかオフであるかを検出する。検出するタイミングは特に限定されず、例えば、所定間隔毎に、主電源部７１の電源の投入状態を検出すればよい。そして、電源状態検出部１１は、上記検出の結果を、受信データ切替指示部１２に通知する。通知内容は、主電源部７１の電源がオンである旨、または、主電源部７１の電源がオフである旨のいずれかである。
【０１１２】
次に、受信データ切替指示部１２は、電源状態検出部１１からの通知に応じて、高速無線通信部３１からデータを受信するか、または、低速無線通信部３２からデータを受信するかについて、データ受信部１３に指示する。具体的には、電源状態検出部１１からの通知が、主電源部７１の電源がオンである旨の通知である場合は、高速無線通信部３１からデータを受信する指示を、データ受信部１３に与える。一方、電源状態検出部１１からの通知が、主電源部７１の電源がオフである旨の通知である場合は、低速無線通信部３２からデータを受信する指示を、データ受信部１３に与える。
【０１１３】
次に、データ受信部１３は、高速無線通信部３１を介してコンテンツ中継処理装置２から送られるデジタル放送、および、低速無線通信部３２を介してコンテンツ中継処理装置２から送られるＥＰＧ（登録商標）の情報のいずれか一方を選択的に受信する。
【０１１４】
そのために、データ受信部１３は、内部に、データ解析部１３１と番組情報取得部１３２とを含んで構成される。そして、受信データ切替指示部１２からの指示に応じて、データ解析部１３１を高速無線通信部３１と接続させるか否か、および、番組情報取得部１３２を低速無線通信部３２と接続させるか否かを切り替える。具体的には、受信データ切替指示部１２からの指示が、高速無線通信部３１からデータを受信する指示であれば、データ解析部１３１を高速無線通信部３１と接続させる。一方、受信データ切替指示部１２からの指示が、低速無線通信部３２からデータを受信する指示であれば、番組情報取得部１３２を低速無線通信部３２と接続させる。すわなち、データ受信部１３は、主電源部７１の電源の投入状態に応じて、データの受信対象を変える。
【０１１５】
データ解析部１３１は、高速無線通信部３１を介してコンテンツ中継処理装置２から送られるデジタル放送を解析し、該受信したデジタル放送に含まれる映像および音声、ならびに、ＥＰＧ（登録商標）の情報を取得する。そのために、データ解析部１３１は、映像音声抽出部１３１１と番組情報抽出部１３１２とを含んで構成される。
【０１１６】
映像音声抽出部１３１１は、高速無線通信部３１を介してコンテンツ中継処理装置２から送られるデジタル放送から、映像および音声信号を含むＴＳ（トランスポートストリーム）パケットを、一般的に知られている方法を用いて抽出する。そして、映像音声抽出部１３１１は、上記抽出したＴＳパケットに含まれる映像および音声信号を、表示部４０および音声出力部５０に出力するために、データ出力部１４に送信する。なお、映像および音声信号を、すぐに表示部４０および音声出力部５０に出力しない場合などは、コンテンツ・番組情報記憶部２１に格納してもよい。
【０１１７】
番組情報抽出部１３１２は、高速無線通信部３１を介してコンテンツ中継処理装置２から送られるデジタル放送から、ＥＰＧ（登録商標）の情報を含むＴＳパケットを、一般的に知られている方法を用いて抽出する。そして、番組情報抽出部１３１２は、上記抽出したＴＳパケットに含まれるＥＰＧ（登録商標）の情報を、表示部４０に出力するために、データ出力部１４に送信する。なお、ＥＰＧ（登録商標）の情報を、すぐに表示部４０に出力しない場合などは、コンテンツ・番組情報記憶部２１に格納してもよい。
【０１１８】
次に、番組情報取得部１３２は、低速無線通信部３２を介してコンテンツ中継処理装置２から送られるＥＰＧ（登録商標）の情報を受信し、該受信したＥＰＧ（登録商標）の情報を、コンテンツ・番組情報記憶部２１に格納する。番組情報取得部１３２は、ＥＰＧ（登録商標）の情報を受信するに際し、ＥＰＧ（登録商標）の情報の取得要求を示す制御信号を、低速無線通信部３２を介してコンテンツ中継処理装置２に送信する。なお、上記制御信号を受信したコンテンツ中継処理装置２は、コンテンツ中継処理装置２に接続している外部の装置（録画再生装置５）に対して、上記制御信号を中継する。
【０１１９】
データ出力部１４は、データ受信部１３から送られる、映像および音声信号、ならびに、ＥＰＧ（登録商標）の情報を、表示部４０および音声出力部５０に出力する。また、イベント処理部１５からの通知をトリガとして、コンテンツ・番組情報記憶部２１に格納されている映像および音声信号、ならびに、ＥＰＧ（登録商標）の情報を、表示部４０および音声出力部５０に出力してもよい。
【０１２０】
イベント処理部１５は、ユーザ操作によりリモコン７から送信される制御信号をリモコン通信部６０を介して受信し、該受信した制御信号の内容に応じて、各部に指示を行なう。
【０１２１】
特に、上記受信した制御信号の内容が、主電源のオンまたはオフの指示であれば、その指示を主電源部７１に通知するとともに、コンテンツ中継処理装置２に対して主電源のオンまたはオフを通知するために、該制御信号を低速無線通信部３２を介してコンテンツ中継処理装置２に送る。
【０１２２】
また、イベント処理部１５は、上記受信した制御信号の内容が、放送チャンネルの選局の指示であれば、コンテンツ中継処理装置２に対して放送チャンネルの選局を指示するために、該制御信号を低速無線通信部３２を介してコンテンツ中継処理装置２に送る。
【０１２３】
また、イベント処理部１５は、低速無線通信部３２を介して、コンテンツ中継処理装置２から送られる制御信号を受信してもよい。
【０１２４】
また、イベント処理部１５は、上記受信した制御信号の内容が、所定のコンテンツまたはＥＰＧ（登録商標）の情報を表示する指示であれば、その指示をデータ出力部１４に通知する。
【０１２５】
（コンテンツ中継処理装置の構成）
次に、図３を参照しながら、コンテンツ中継処理装置２の構成について説明する。図３は、本実施の一形態に係るコンテンツ中継処理装置２の構成を示すブロック図である。図３に示すようにコンテンツ中継処理装置２は、制御部２１０、無線通信部２３０、外部機器通信部２６０、電源部２７０、およびチューナ３を備えて構成される。なお、コンテンツ中継処理装置２は、さらに他の機能を含んで構成してもよいが、本発明の本質的部分ではないため、ここでは図示および説明を省略する。
【０１２６】
制御部２１０は、無線通信部２３０、外部機器通信部２６０、電源部２７０、およびチューナ３の制御を行なうとともに、所定の演算処理を行なうものである。所定の演算処理としては、例えば、チューナ３からのデジタル放送の受信処理がある。制御部２１０の詳細な構成については後述する。
【０１２７】
次に、無線通信部２３０は、無線通信ネットワークを介して、コンテンツ表示処理装置１と通信するものであり、内部に、高速無線通信部２３１および低速無線通信部２３２を備えている。
【０１２８】
高速無線通信部２３１は、後述する中継情報切替部２１３から送られるデジタル放送を、高速無線通信にてコンテンツ表示処理装置１に送信する。
【０１２９】
一方、低速無線通信部２３２は、中継情報切替部２１３から送られるＥＰＧ（登録商標）の情報を、低速無線通信にてコンテンツ表示処理装置１に送信する。
【０１３０】
また、低速無線通信部２３２は、コンテンツ表示処理装置１との間で低速無線通信にて制御信号を送受信する。低速無線通信部２３２は、コンテンツ表示処理装置１へ送信する制御信号をイベント処理部２１５から受信し、また、コンテンツ表示処理装置１から受信した制御信号を、イベント処理部２１５へ送る。
【０１３１】
低速無線通信部２３２がコンテンツ表示処理装置１から受信する制御信号としては、特に、コンテンツ表示処理装置１の電源オンまたは電源オフの指示を示す制御信号、放送チャンネルの選局を示す制御信号、また、外部機器通信部２６０にて接続される外部機器に対して、ＥＰＧ（登録商標）の情報を取得する要求を示す制御信号などがある。
【０１３２】
次に、外部機器通信部２６０は、有線通信ネットワークを介して、コンテンツ中継処理装置２と接続される外部機器（例えば、録画再生装置５）と通信するものである。外部機器が録画再生装置５である場合、外部機器通信部２６０は、録画再生装置５から送られるＥＰＧ（登録商標）の情報を受信する。なお、録画再生装置５から映像および音声信号を受信してもよい。そして、該受信したＥＰＧ（登録商標）の情報（さらには、映像および音声信号）を中継情報切替部２１３に送信する。
【０１３３】
また、外部機器通信部２６０は、低速無線通信部２３２を介してコンテンツ表示処理装置１から送られた、外部機器に対するＥＰＧ（登録商標）の情報の取得要求を示す制御信号を、イベント処理部２１５から受け取り、外部機器に対して送信する。
【０１３４】
次に、電源部２７０は、制御部２１０、無線通信部２３０、外部機器通信部２６０、およびチューナ３に電力を供給するものであり、内部に、主電源部２７１および副電源部２７２を備えている。
【０１３５】
主電源部２７１は、イベント処理部２１５から通知される、電源オンの指示に応じて、コンテンツ中継処理装置２が備える機能全て（すなわち、制御部２１０、無線通信部２３０、およびチューナ３を含む全ての機能）に電力を供給する。そして、イベント処理部１５から送信される、電源オフの指示に応じて、上記電力の供給を行なわないようにする。
【０１３６】
副電源部２７２は、イベント処理部２１５から通知される、電源オンまたは電源オフの指示に関わらず、常に、中継情報切替部２１３、イベント処理部２１５、および外部機器通信部２６０（すなわち、図３においてグレー色を付けた部材）に電力を供給する。なお、外部機器通信部２６０は外部機器と有線通信を行なうが、その消費電力は高速無線通信に比べると小さいので、常時電源がオンであっても、一般的に消費電力は許容範囲に収まる。
【０１３７】
なお、本実施形態では、主電源部２７１と副電源部２７２との２つの電源を備える構成としたが、コンテンツ中継処理装置２が備える機能群のうち、コンテンツ表示処理装置１の電源オンまたはオフに応じて電力を供給または停止する機能群と、常時電力を供給しておく機能群とに分けておき、１つの電源から、上記分けた機能群のそれぞれへ電力供給を制御する構成としてもよい。
【０１３８】
次に、チューナ３は、すでに説明しているように、デジタル放送用の一般的なチューナである。イベント処理部２１５から通知される、放送チャンネルの選局に応じた制御信号に基づいて、アンテナ４にて受信したデジタル放送から所定のチャンネルを選局する。
【０１３９】
次に、制御部２１０について、詳細に説明する。制御部２１０は、中継情報切替部２１３と、イベント処理部２１５とを含んでいる。
【０１４０】
次に、中継情報切替部２１３は、チューナ３からデジタル放送を受信したとき、または、外部機器通信部２６０を介して録画再生装置５から映像および音声信号を受信したときは、該受信したデータを、高速無線通信部２３１を介して、コンテンツ表示処理装置１に送信する。一方、中継情報切替部２１３は、外部機器通信部２６０を介して録画再生装置５からＥＰＧ（登録商標）の情報を受信したときは、該受信したデータを、低速無線通信部２３２を介して、コンテンツ表示処理装置１に送信する。
【０１４１】
次に、イベント処理部２１５は、低速無線通信部２３２を介して、コンテンツ表示処理装置１から送信される制御信号を受信し、該受信した制御信号の内容に応じて、各部に指示を行なう。
【０１４２】
特に、上記受信した制御信号の内容が、主電源のオンまたはオフの指示であれば、その旨を主電源部２７１に通知する。
【０１４３】
また、上記受信した制御信号の内容が、放送チャンネルの選局の指示であれば、その旨をチューナ３に通知する。
【０１４４】
また、上記受信した制御信号の内容が、ＥＰＧ（登録商標）の情報の取得要求を示すものであれば、コンテンツ中継処理装置２に接続している外部の装置（録画再生装置５）に対して、上記制御信号を中継するために、外部機器通信部２６０に該制御信号を送信する。
【０１４５】
（コンテンツ表示処理装置における、ＥＰＧ（登録商標）の取得処理の流れ）
次に、図４を参照しながら、コンテンツ表示処理装置１における、ＥＰＧ（登録商標）の取得処理の流れの一例について説明する。図４は、コンテンツ表示処理装置１における、ＥＰＧ（登録商標）の取得処理の流れの一例を示すフローチャートである。
【０１４６】
まず、電源状態検出部１１が、コンテンツ表示処理装置１の主電源部７１の電源がオンであるかオフであるかを検出する（ステップＳ１００）。
【０１４７】
このとき、電源状態検出部１１が、主電源部７１がオンであることを検出したならば（ステップＳ１００にてＹＥＳ）、コンテンツ表示処理装置１が具備する機能の全てに電力が供給されており、また、コンテンツ中継処理装置２が具備する機能の全てに電力が供給されていることとなる。よって、コンテンツ表示処理装置１は、高速無線通信部３１およびコンテンツ中継処理装置２の高速無線通信部２３１を介してコンテンツ中継処理装置２からデジタル放送を受信すればよい。
【０１４８】
そこで、電源状態検出部１１は、主電源部７１の電源がオンである旨の通知を受信データ切替指示部１２に行い、これにより受信データ切替指示部１２は、高速無線通信部３１からデータを受信する旨の指示をデータ受信部１３に行なう。そして、データ受信部１３は、データ解析部１３１を高速無線通信部３１と接続させる（ステップＳ１０１）。
【０１４９】
なお、主電源部７１の電源がオンである旨の制御信号を、イベント処理部１５が低速無線通信部３２を介してコンテンツ中継処理装置２に送信するため、コンテンツ中継処理装置２の主電源部２７１は、コンテンツ中継処理装置２が備える機能全てに電力を供給する。したがって、コンテンツ中継処理装置２では、チューナ３を介して受信したデジタル放送を、高速無線通信部２３１を介してコンテンツ表示処理装置１に送信することができる。
【０１５０】
そして、データ解析部１３１の映像音声抽出部１３１１および番組情報取得部１３２が、高速無線通信部３１を介してコンテンツ中継処理装置２から送られるデジタル放送を解析し、該受信したデジタル放送に含まれる映像および音声、ならびに、ＥＰＧ（登録商標）の情報を取得する（ステップＳ１０２）。
【０１５１】
最後に、該取得した映像および音声、ならびに、ＥＰＧ（登録商標）の情報を、データ出力部１４を介して表示部４０に出力するか、または、コンテンツ・番組情報記憶部２１に格納する（ステップＳ１０６）。
【０１５２】
なお、引き続き、表示部４０に出力されたＥＰＧ（登録商標）に基づいてユーザが所定の番組をリモコン選択などした場合、その選局情報をコンテンツ中継処理装置２に送信してチャンネルを変更したり、録画再生装置５に対して録画を指示したりしてもよいが、ここでは図示を省略している。
【０１５３】
一方、電源状態検出部１１が、主電源部７１がオフであることを検出したならば（ステップＳ１００にてＮＯ）、コンテンツ表示処理装置１では、副電源部７２が電力供給する機能のみが動作しており、また、コンテンツ中継処理装置２でも、副電源部２７２が電力供給する機能のみが動作していることとなる。よって、コンテンツ表示処理装置１は、低速無線通信部３２およびコンテンツ中継処理装置２の低速無線通信部２３２を介して、録画再生装置５に保存されているＥＰＧ（登録商標）の情報を受信すればよい。
【０１５４】
そこで、電源状態検出部１１は、主電源部７１の電源がオフである旨の通知を受信データ切替指示部１２に行い、これにより受信データ切替指示部１２は、低速無線通信部３２からデータを受信する旨の指示をデータ受信部１３に行なう。そして、データ受信部１３は、番組情報取得部１３２を低速無線通信部３２と接続させる（ステップＳ１０３）。
【０１５５】
なお、主電源部７１の電源がオフである旨の制御信号を、イベント処理部１５が低速無線通信部３２を介してコンテンツ中継処理装置２に送信するため、コンテンツ中継処理装置２の主電源部２７１はオフとなるが、副電源部２７２にて電力が供給される低速無線通信部２３２を介してコンテンツ表示処理装置１と通信が可能である。
【０１５６】
そこで、ＥＰＧ（登録商標）の情報の取得を、録画再生装置５に対して要求するため、番組情報取得部１３２が、低速無線通信部３２を介してコンテンツ中継処理装置２に、ＥＰＧ（登録商標）の情報の取得要求を行なう（ステップＳ１０４）。
【０１５７】
そして、コンテンツ中継処理装置２は上記取得要求を録画再生装置５に中継する。そして、その応答として、録画再生装置５からコンテンツ中継処理装置２に対してＥＰＧ（登録商標）の情報が送られる。そして、コンテンツ中継処理装置２は、受信したＥＰＧ（登録商標）の情報を、低速無線通信部２３２を介してコンテンツ表示処理装置１に送る。
【０１５８】
その結果、番組情報取得部１３２が、低速無線通信部３２を介してコンテンツ中継処理装置２から送られたＥＰＧ（登録商標）の情報を受信する（ステップＳ１０５）。
【０１５９】
最後に、該取得したＥＰＧ（登録商標）の情報をコンテンツ・番組情報記憶部２１に格納する（ステップＳ１０６）。
【０１６０】
なお、ステップＳ１０６の後は、再度、電源状態検出部１１が、主電源部７１の状態の監視する（ステップＳ１００）。
【０１６１】
以上のように、本実施形態によれば、コンテンツ表示処理装置１の主電源がオンであってもオフであっても、ＥＰＧ（登録商標）を取得することができる。
【０１６２】
すなわち、１）コンテンツ表示処理装置１にてコンテンツを視聴しているとき（つまり、主電源部７１がオンのとき）は、高速無線通信部３１を介して受信したデジタル放送からＥＰＧ（登録商標）を取得し、２）一方、コンテンツ表示処理装置１にてコンテンツを視聴をしていないとき（つまり、主電源部７１がオフのとき）は、低速無線通信部３２を介して、コンテンツ中継処理装置２に接続されている外部機器（録画再生装置５など）が取得しているＥＰＧ（登録商標）を取得する。このように、主電源の状態に応じて、ＥＰＧ（登録商標）の取得経路を切り替えることにより、コンテンツ表示処理装置１は常に最新のＥＰＧ（登録商標）を取得することができる。
【０１６３】
また、コンテンツを視聴していないときであっても（すなわち主電源がオフのときであっても）、低消費電力の低速無線通信でＥＰＧ（登録商標）の情報を取得することが可能となり、従来と比べて消費電力の増加を抑えることができる。
【０１６４】
〔変形例１〕
コンテンツ表示処理装置１が、ＥＰＧ（登録商標）の情報の取得要求を示す制御信号をコンテンツ中継処理装置２に送信するタイミングを判断する構成を、さらに備えていてもよい。以下で３つの構成例を挙げて説明する。
【０１６５】
（変形例１Ａ）
ＥＰＧ（登録商標）の情報の取得要求を示す制御信号をコンテンツ中継処理装置２に送信するにあたり、ＥＰＧ（登録商標）の情報の取得要求を行なう時刻を事前に設定しておき、該時刻を経過したとき、ＥＰＧ（登録商標）の情報の取得要求を示す制御信号を送信する構成としてもよい。
【０１６６】
具体的には、ＥＰＧ（登録商標）の情報の取得要求を行なう時刻を記憶するレジスタなどの記憶部を記憶部２０内に設ける構成とし（図示せず）、該レジスタには、ＥＰＧ（登録商標）の情報の取得要求を行なう時刻として、例えば１時間ごと（午前６時、７時、８時、など）の時刻を予め設定しておけばよい。または、ＥＰＧ（登録商標）の情報の取得を行なう度に、次回ＥＰＧ（登録商標）の情報の取得要求を行なう時刻を上記レジスタに設定するようにしてもよい。
【０１６７】
そして、制御部１０内で動作する内蔵時計により算出される現在時刻が、上記レジスタに設定された時刻を経過する毎に、ＥＰＧ（登録商標）の情報の取得要求を行なえばよい。なお、制御部１０内で動作する内蔵時計は副電源部７２にて電力が供給されるものとする。
【０１６８】
したがって、受信データ切替指示部１２は、電源状態検出部１１からの通知が、主電源部７１の電源がオフである旨の通知である場合であって、かつ、現在時刻が上記レジスタに設定された時刻を経過している場合、低速無線通信部３２からデータを受信する指示を、データ受信部１３に与える構成とすればよい。
【０１６９】
以上により、コンテンツを視聴していないときであっても（すなわち主電源がオフのときであっても）、予め定められた時刻毎（例えば定期的）にＥＰＧ（登録商標）の情報を取得することができ、新しいＥＰＧ（登録商標）の情報をコンテンツ表示処理装置１に保持することが可能となる。
【０１７０】
（ＥＰＧ（登録商標）の取得処理の流れ）
図５を参照しながら、コンテンツ表示処理装置１が、所定時刻を経過したときに、ＥＰＧ（登録商標）の情報の取得要求を行なう構成をさらに備えた場合における、ＥＰＧ（登録商標）の取得処理の流れの一例について説明する。図５は、該流れの一例を示すフローチャートである。なお、説明の便宜上、既に説明したステップと同一のステップには、同一の符号を付記し、その説明を省略する。
【０１７１】
電源状態検出部１１が、主電源部７１がオフであることを検出したならば（ステップＳ１００にてＮＯ）、電源状態検出部１１は、主電源部７１の電源がオフである旨の通知を受信データ切替指示部１２に行なうが、さらに、制御部１０にて、現在時刻がＥＰＧ（登録商標）の情報の取得要求を行なう時刻を経過しているか否かを判断する（ステップＳ２００）。そして、現在時刻がＥＰＧ（登録商標）の情報の取得要求を行なう時刻を経過している場合（ステップＳ２００にてＹＥＳ）、受信データ切替指示部１２は、低速無線通信部３２からデータを受信する旨の指示をデータ受信部１３に行なう。そして、データ受信部１３は、番組情報取得部１３２を低速無線通信部３２と接続させる（ステップＳ１０３）。
【０１７２】
なお、現在時刻がＥＰＧ（登録商標）の情報の取得要求を行なう時刻を経過していない場合（ステップＳ２００にてＮＯ）、再度、電源状態検出部１１が、主電源部７１の状態の監視する（ステップＳ１００）。
【０１７３】
（変形例１Ｂ）
ＥＰＧ（登録商標）の情報の取得要求を示す制御信号をコンテンツ中継処理装置２に送信するにあたり、録画再生装置５で保持しているＥＰＧ（登録商標）の情報に変更が生じたか否かを問合せ、変更が生じていた場合に、ＥＰＧ（登録商標）の情報の取得要求を示す制御信号を送信する構成としてもよい。
【０１７４】
具体的には、録画再生装置５で保持しているＥＰＧ（登録商標）の情報に変更が生じたか否かを問合せる旨の制御信号を、ポーリングにより、コンテンツ中継処理装置２を介して送信するとともに、その応答として録画再生装置５からコンテンツ中継処理装置２を介して得られる制御信号に基づいて、上記変更の有無を判断する機能を、制御部１０内に設ける構成とする。例えば、番組情報取得部１３２に該機能を設ける構成としてもよい。そして、上記変更があると判断した場合に、ＥＰＧ（登録商標）の情報の取得要求を行なえばよい。
【０１７５】
なお、上記変更の有無を判断する機能は副電源部７２にて電力が供給されるものとする。また、録画再生装置５は、ＥＰＧ（登録商標）の情報に変更が生じたか否かを問合せる旨の制御信号を受信可能であり、その応答として、ＥＰＧ（登録商標）の情報に変更が生じたか否かを示す制御信号を返信する機能を具備しているものとする。
【０１７６】
したがって、録画再生装置５で保持しているＥＰＧ（登録商標）の情報に変更が生じたと判断された場合、番組情報取得部１３２は、ＥＰＧ（登録商標）の情報の取得要求を示す制御信号を、低速無線通信部３２を介してコンテンツ中継処理装置２に送信する構成とすればよい。
【０１７７】
以上により、ＥＰＧ（登録商標）の情報に変更があった場合のみＥＰＧ（登録商標）の情報を取得する構成であるため、低速無線通信でＥＰＧ（登録商標）の情報を取得する機会を少なくすることができる。したがって、最新のＥＰＧ（登録商標）の情報を、さらに低消費電力で、かつ、リアルタイムに取得することが可能となる。また、予め定められた時刻毎（例えば定期的）にＥＰＧ（登録商標）の情報を取得するよりも、最新のＥＰＧ（登録商標）をリアルタイムに取得することが可能となる。
【０１７８】
（ＥＰＧ（登録商標）の取得処理の流れ）
図６を参照しながら、コンテンツ表示処理装置１が、録画再生装置５で保持しているＥＰＧ（登録商標）の情報の変更有無を問合せる構成をさらに備えた場合における、ＥＰＧ（登録商標）の取得処理の流れの一例について説明する。図６は、該流れの一例を示すフローチャートである。なお、説明の便宜上、既に説明したステップと同一のステップには、同一の符号を付記し、その説明を省略する。
【０１７９】
データ受信部１３が、番組情報取得部１３２を低速無線通信部３２と接続させた（ステップＳ１０３）後、制御部１０（例えば番組情報取得部１３２）が、録画再生装置５で保持しているＥＰＧ（登録商標）の情報に変更が生じたか否かを問合せる制御信号を、ポーリングにより、コンテンツ中継処理装置２に送信する（ステップＳ３００）。
【０１８０】
そして、制御部１０（例えば番組情報取得部１３２）が、録画再生装置５からコンテンツ中継処理装置２を介して得られた応答に基づいて、ＥＰＧ（登録商標）の情報の変更の有無を判断する(ステップＳ３０１)。そして、ＥＰＧ（登録商標）の情報に変更が有ったと判断した場合（ステップＳ３０２にてＹＥＳ）、番組情報取得部１３２が、低速無線通信部３２を介してコンテンツ中継処理装置２に、ＥＰＧ（登録商標）の情報の取得要求を行なう（ステップＳ１０４）。
【０１８１】
なお、ＥＰＧ（登録商標）の情報に変更が無いと判断した場合（ステップＳ３０２にてＮＯ）、再度、電源状態検出部１１が、主電源部７１の状態の監視する（ステップＳ１００）。
【０１８２】
（変形例１Ｃ）
ＥＰＧ（登録商標）の情報の取得要求を示す制御信号をコンテンツ中継処理装置２に送信するにあたり、ＥＰＧ（登録商標）の情報が変更された旨の通知を受信したとき、ＥＰＧ（登録商標）の情報の取得要求を示す制御信号を送信する構成としてもよい。
【０１８３】
具体的には、録画再生装置５で保持しているＥＰＧ（登録商標）の情報に変更が生じた旨の制御信号を受信する機能を、制御部１０内に設ける構成とすればよい。例えば、番組情報取得部１３２に該機能を設ける構成としてもよい。そして、上記通知を受信した場合に、ＥＰＧ（登録商標）の情報の取得要求を行なえばよい。
【０１８４】
なお、上記変更が生じた旨の制御信号を受信する機能は副電源部７２にて電力が供給されるものとする。また、録画再生装置５は、ＥＰＧ（登録商標）の情報に変更が生じた旨の制御信号を所定のトリガにより送信する機能を具備しているものとする。
【０１８５】
したがって、録画再生装置５で保持しているＥＰＧ（登録商標）の情報に変更が生じた旨の制御信号を受信した場合に、番組情報取得部１３２はＥＰＧ（登録商標）の情報の取得要求を示す制御信号を、低速無線通信部３２を介してコンテンツ中継処理装置２に送信する構成とすればよい。
【０１８６】
以上により、ＥＰＧ（登録商標）の情報に変更があった場合のみＥＰＧ（登録商標）の情報を取得する構成であるため、低速無線通信でＥＰＧ（登録商標）の情報を取得する機会を少なくすることができる。したがって、最新のＥＰＧ（登録商標）の情報を、さらに低消費電力で、かつ、リアルタイムに取得することが可能となる。また、予め定められた時刻毎（例えば定期的）にＥＰＧ（登録商標）の情報を取得するよりも、最新のＥＰＧ（登録商標）をリアルタイムに取得することが可能となる。
【０１８７】
（ＥＰＧ（登録商標）の取得処理の流れ）
図７を参照しながら、コンテンツ表示処理装置１が、録画再生装置５で保持しているＥＰＧ（登録商標）の情報の変更通知を受信可能な構成をさらに備えた場合における、ＥＰＧ（登録商標）の取得処理の流れの一例について説明する。図７は、該流れの一例を示すフローチャートである。なお、説明の便宜上、既に説明したステップと同一のステップには、同一の符号を付記し、その説明を省略する。
【０１８８】
データ受信部１３が、番組情報取得部１３２を低速無線通信部３２と接続させた（ステップＳ１０３）後、制御部１０（例えば番組情報取得部１３２）が、録画再生装置５で保持しているＥＰＧ（登録商標）の情報に変更が生じた旨の制御信号を受信した場合（ステップＳ４００にてＹＥＳ）、番組情報取得部１３２が、低速無線通信部３２を介してコンテンツ中継処理装置２に、ＥＰＧ（登録商標）の情報の取得要求を行なう（ステップＳ１０４）。
【０１８９】
なお、制御部１０（例えば番組情報取得部１３２）が、録画再生装置５で保持しているＥＰＧ（登録商標）の情報に変更が生じた旨の制御信号を受信しない場合（ステップＳ４００にてＮＯ）、再度、電源状態検出部１１が、主電源部７１の状態の監視する（ステップＳ１００）。
【０１９０】
〔変形例２〕
上述の実施形態では、低速無線通信は、コンテンツ表示処理装置１とコンテンツ中継処理装置２との間のみで行われる構成であったが、複数の装置が互いに通信可能な無線ネットワークを用いて、コンテンツ表示処理装置１が、コンテンツ中継処理装置２だけではなく、録画再生装置５などの他の装置とも直接通信可能とする構成であってもよいので、以下で２つの構成例を挙げて説明する。
【０１９１】
（変形例２Ａ）
図８を参照しながら、本実施形態に係るコンテンツ表示システムにおいて、低速無線通信を無線ネットワークにて実現する概略構成について説明する。図８は、本実施形態に係るコンテンツ表示システムにおいて、低速無線通信を無線ネットワークにて実現する概略構成を示すブロック図である。
【０１９２】
図８に示すとおり、コンテンツ表示処理装置１、コンテンツ中継処理装置２、および録画再生装置５は、互いに通信可能な低速無縁通信ネットワークで接続される構成である。つまり、コンテンツ表示処理装置１と録画再生装置５とは、低速無縁通信ネットワークを介して通信可能である。なお、録画再生装置５には、低速無線ネットワークに対応した通信部が備えられているものとする。
【０１９３】
図８に示す構成においては、コンテンツ表示処理装置１にてコンテンツを視聴していないとき（主電源部７１がオフのとき）、コンテンツ表示処理装置１は、低速無縁通信ネットワークを介して録画再生装置５に対して、ＥＰＧ（登録商標）の情報の取得要求を示す制御信号を送信すればよい。すなわち、コンテンツ中継処理装置２を介さず、録画再生装置５に対して、ＥＰＧ（登録商標）の情報の取得要求を示す制御信号を送信することができる。
【０１９４】
そして、上記要求の応答として、録画再生装置５から低速無縁通信ネットワークを介して、コンテンツ表示処理装置１にＥＰＧ（登録商標）の情報を送信する。すなわち、コンテンツ中継処理装置２を介さず、コンテンツ表示処理装置１に対して、ＥＰＧ（登録商標）の情報を送信することができる。
【０１９５】
なお、この場合においても、ＥＰＧ（登録商標）の情報の取得要求を示す制御信号を送信するタイミングを判断する構成は、上述で、変形例１Ａ、１Ｂ、および１Ｃとして説明したいずれの構成であってもよい。このとき、コンテンツ表示処理装置１が、コンテンツ中継処理装置２を介して録画再生装置５とやりとりしていた制御信号は、すべて、低速無縁通信ネットワークを介して直接録画再生装置５とやりとりすればよい。
【０１９６】
したがって、図８に示す構成においても、コンテンツ表示処理装置１にてコンテンツを視聴をしていないとき（つまり、主電源部７１がオンのとき）は、低速無線通信ネットワークを介して、録画再生装置５が取得しているＥＰＧ（登録商標）を取得することができる。よって、低消費電力の低速無線通信でＥＰＧ（登録商標）の情報を取得することが可能となり、従来と比べて消費電力の増加を抑えることができる。
【０１９７】
なお、図８に示す構成では、コンテンツ表示処理装置１がＥＰＧ（登録商標）の情報を取得するにあたり、コンテンツ中継処理装置２は、その取得処理に関与していない。
【０１９８】
（変形例２Ｂ）
図９を参照しながら、本実施形態に係るコンテンツ表示システムにおいて、低速無線通信を無線ネットワークにて実現し、外部サーバからＥＰＧ（登録商標）の情報の取得する概略構成について説明する。図９は、本実施形態に係るコンテンツ表示システムにおいて、低速無線通信を無線ネットワークにて実現し、外部サーバからＥＰＧ（登録商標）の情報の取得する概略構成を示すブロック図である。
【０１９９】
図９に示す構成では、図８で示した録画再生装置５に代えて、外部のＥＰＧサーバ９にインターネットを介して接続しているＰＣ８を備える構成である。ＰＣ８は、アンテナ４とは接続されておらず、また、ＥＰＧ（登録商標）の情報が蓄積されている、外部のＥＰＧ（登録商標）サーバ９から、インターネットを介してＥＰＧ（登録商標）を取得可能であるものとする。
【０２００】
図９に示す構成においては、コンテンツ表示処理装置１にてコンテンツを視聴していないとき（主電源部７１がオフのとき）、コンテンツ表示処理装置１は、低速無縁通信ネットワークを介してＰＣ８に対して、ＥＰＧ（登録商標）の情報の取得要求を示す制御信号を送信すればよい。すなわち、コンテンツ中継処理装置２を介さず、ＰＣ８に対して、ＥＰＧ（登録商標）の情報の取得要求を示す制御信号を送信することができる。
【０２０１】
そして、上記要求の応答として、ＰＣ８は、ＥＰＧサーバ９から取得したからＥＰＧ（登録商標）の情報を、低速無縁通信ネットワークを介して、コンテンツ表示処理装置１に送信する。すなわち、コンテンツ中継処理装置２を介さず、コンテンツ表示処理装置１に対して、ＥＰＧ（登録商標）の情報を送信することができる。
【０２０２】
なお、この場合においても、ＥＰＧ（登録商標）の情報の取得要求を示す制御信号を送信するタイミングを判断する構成は、上述で、変形例１Ａ、１Ｂ、および１Ｃとして説明したいずれの構成であってもよい。このとき、コンテンツ表示処理装置１が、コンテンツ中継処理装置２を介して録画再生装置５とやりとりしていた制御信号は、すべて、低速無縁通信ネットワークを介して直接ＰＣ８とやりとりすればよい。ただし、ＰＣ８は、上記制御信号のやりとりが可能であるものとする。
【０２０３】
したがって、図９に示す構成においても、コンテンツ表示処理装置１にてコンテンツを視聴をしていないとき（つまり、主電源部７１がオンのとき）は、低速無線通信ネットワークを介して、ＰＣ８が取得しているＥＰＧ（登録商標）を取得することができる。よって、低消費電力の低速無線通信でＥＰＧ（登録商標）の情報を取得することが可能となり、従来と比べて消費電力の増加を抑えることができる。
【０２０４】
なお、図９に示す構成では、コンテンツ表示処理装置１がＥＰＧ（登録商標）の情報を取得するにあたり、コンテンツ中継処理装置２および録画再生装置５は、その取得処理に関与していない。
【０２０５】
〔付記事項〕
（変形例）
実施の形態は上述の他に、以下のようにも表現できる。
【０２０６】
[１]本発明に係るコンテンツ表示処理装置は、主電源のオフ時には副電源で動作し、表示する映像を選択する映像選択情報を自装置の外部より取得するコンテンツ表示処理装置置であって、複数の通信手段と、主電源のオンまたはオフ状態を検出する電源状態検出手段と、前記電源状態検出手段からの情報に基づいて前記映像選択情報を取得する通信手段を切り替える情報取得切替手段と、を有していてもよい。
【０２０７】
[２]さらに、本発明に係るコンテンツ表示処理装置は、前記複数の通信手段とは、少なくともテレビ放送を受信する第１の通信手段とテレビ放送以外の情報を通信する第２の通信手段とを含み、前記映像選択情報とはテレビ放送におけるＥＰＧ（登録商標）であってもよい。
【０２０８】
[３]さらに、本発明に係るコンテンツ表示処理装置は、前記第２の通信手段は、前記第１の通信手段より消費電力が小さいものであってもよい。
【０２０９】
[４]さらに、本発明に係るコンテンツ表示処理装置は、前記電源状態検出手段からの情報が、主電源がオンであることを示す場合は前記第１の通信手段を使用して受信したテレビ放送からＥＰＧ（登録商標）を取得し、前記電源状態検出手段からの情報が、主電源がオフであることを示す場合は前記第２の通信手段を使用してＥＰＧ（登録商標）を提供する他の装置からＥＰＧ（登録商標）を取得するものであってもよい。
【０２１０】
[５]さらに、本発明に係るコンテンツ表示処理装置は、主電源がオフである場合に、予め決められた所定の時刻になると、前記第２の通信手段を使用して、ＥＰＧ（登録商標）を取得するものであってもよい。
【０２１１】
[６]さらに、本発明に係るコンテンツ表示処理装置は、主電源がオフである場合に、
前記ＥＰＧ（登録商標）を提供する他の装置に保存しているＥＰＧ（登録商標）の変更が合ったことを検知した場合に該装置からＥＰＧ（登録商標）を取得するものであってもよい。
【０２１２】
[７]さらに、本発明に係るコンテンツ表示処理装置は、前記ＥＰＧ（登録商標）を提供する他の装置からＥＰＧ（登録商標）の変更があった旨の通知があった場合に該装置からＥＰＧ（登録商標）を取得するものであってもよい。
【０２１３】
[８]さらに、本発明に係るコンテンツ表示処理装置は、前記第２の通信手段は複数の装置が互いに通信できる多対多接続のネットワークに接続されていてもよい。
【０２１４】
[９]さらに、本発明に係るコンテンツ表示処理装置は、前記第２の通信手段はインターネットに接続され、ＥＰＧ（登録商標）は前記ＥＰＧ（登録商標）を提供する他の装置からインターネット経由で取得するものであってもよい。
【０２１５】
[１０]本発明に係るコンテンツ表示処理システムは、主電源のオフ時には副電源で動作し、表示する映像を選択する映像選択情報を自装置の外部より取得するコンテンツ表示処理装置と、表示装置とは分離され表示装置の指示に基づいて映像を選別する装置と、前記２つの装置の間を接続する複数の通信手段を備えるコンテンツ表示処理システムであって、前記コンテンツ表示処理装置は、複数の通信手段と、主電源のオン、またはオフの状態を検出する電源状態検出手段と、前記電源状態検出手段からの情報に基づいて前記映像選択情報を取得する通信手段を切り替える情報取得切替手段と、を含むものであってもよい。
【０２１６】
[１１]さらに、本発明に係るコンテンツ表示処理システムは、前記複数の通信手段として、少なくともテレビ放送を受信する第１の通信手段と、テレビ放送以外の情報を通信する第２の通信手段有し、前記映像選択情報とはテレビ放送におけるＥＰＧ（登録商標）（電子番組案内）であってもよい。
【０２１７】
[１２]さらに、本発明に係るコンテンツ表示処理システムは、前記第２の通信手段は、前記第１の通信手段より消費電力が小さいものであってもよい。
【０２１８】
[１３]さらに、本発明に係るコンテンツ表示処理システムは、前記コンテンツ表示処理装置は、前記電源状態検出手段からの情報が、主電源がオンであることを示す場合は前記第１の通信手段を使用して受信したテレビ放送からＥＰＧ（登録商標）を取得し、前記電源状態検出手段からの情報が、主電源がオフであることを示す場合は前記第２の通信手段を使用してＥＰＧ（登録商標）を提供する他の装置からＥＰＧ（登録商標）を取得するものであってもよい。
【０２１９】
[１４]さらに、本発明に係るコンテンツ表示処理システムは、前記コンテンツ表示処理装置は、主電源がオフである場合に、予め決められた所定の時刻になると、ＥＰＧ（登録商標）を取得するものであってもよい。
【０２２０】
[１５]さらに、本発明に係るコンテンツ表示処理システムは、主電源がオフである場合に、前記ＥＰＧ（登録商標）を提供する他の装置にＥＰＧ（登録商標）の変更があったことを検知した場合にＥＰＧ（登録商標）を取得するものであってもよい。
【０２２１】
[１６]さらに、本発明に係るコンテンツ表示処理システムは、前記ＥＰＧ（登録商標）を提供する他の装置からＥＰＧ（登録商標）の変更があった旨の通知があった場合にＥＰＧ（登録商標）を取得するものであってもよい。
【０２２２】
[１７]さらに、本発明に係るコンテンツ表示処理システムは、前記第２の通信手段は、複数の装置が互いに通信できる多対多接続のネットワークに接続されていてもよい。
【０２２３】
[１８]さらに、本発明に係るコンテンツ表示処理システムは、前記第２の通信手段は、インターネットに接続されていてもよい。
【０２２４】
[１９]本発明に係るコンテンツ表示処理方法は、主電源のオフ時には副電源で動作し、表示する映像を選択する映像選択情報を自装置の外部より取得するコンテンツ表示処理装置において映像選択情報を取得する方法であって、前記コンテンツ表示処理装置は、少なくとも第１の通信手段と第１の通信手段より消費電力の小さい第２の通信手段とを含み、前記方法は、コンテンツ表示処理装置の主電源のオンまたはオフの状態を示す情報を取得するステップと、前記情報が、主電源がオンであることを示す場合は第１の通信手段を使用して映像選択情報を取得するステップと、前記情報が、主電源がオフであることを示す場合は第２の通信手段を使用して映像選択情報を提供する他の装置から映像選択情報を取得するステップと、を含むものであってもよい。
【０２２５】
[２０]さらに、本発明に係るコンテンツ表示処理方法は、前記映像選択情報とはテレビ放送におけるＥＰＧ（登録商標）（電子番組案内）であってもよい。
【０２２６】
[２１]さらに、本発明に係るコンテンツ表示処理方法は、前記コンテンツ表示処理装置の主電源がオフである場合に、予め決められた所定の時刻になると、ＥＰＧ（登録商標）を取得するステップをさらに含むものであってもよい。
【０２２７】
[２２]さらに、本発明に係るコンテンツ表示処理方法は、前記コンテンツ表示処理装置は、前記映像受信装置の主電源がオフである場合に、前記ＥＰＧ（登録商標）を提供する他の装置に保存しているＥＰＧ（登録商標）の変更があれば該装置からＥＰＧ（登録商標）を取得するステップをさらに含むものであってもよい。
【０２２８】
（制御部の構成）
制御部１０は、ＣＰＵを用いてソフトウェアによって実現してもよいし、ハードウェアロジックによって構成してもよい。ソフトウェアによって実現する場合は、コンテンツ表示処理装置１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるコンテンツ表示処理装置１の制御プログラムのプログラムコード（実行形式プログラム、中間コードプログラム、ソースプログラム）をコンピュータで読み取り可能に記録した記録媒体を、コンテンツ表示処理装置１に供給し、コンテンツ表示処理装置１内のコンピュータ（またはＣＰＵやＭＰＵ）が記録媒体に記録されているプログラムコードを読み出し実行することによっても、達成可能である。
【０２２９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２３０】
また、コンテンツ表示処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２３１】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３２】
本発明は、デジタル放送に多重化された電子番組案内を表示処理するコンテンツ表示処理装置、特に、チューナ部と表示部とが分離された構成のテレビシステムにおける該表示部に好適に利用できる。
【図面の簡単な説明】
【０２３３】
【図１】本発明の実施形態に係るコンテンツ表示処理装置の概略構成を示すブロック図である。
【図２】図１で示したコンテンツ表示処理装置を含む、コンテンツ表示システムの概略構成を示すブロック図である。
【図３】図１で示したコンテンツ表示処理装置にコンテンツを中継するコンテンツ中継処理装置の概略構成を示すブロック図である。
【図４】図１で示したコンテンツ表示処理装置における、ＥＰＧ（登録商標）の取得処理の流れの一例を示すフローチャートである。
【図５】図１で示したコンテンツ表示処理装置が、所定時刻を経過したときに、ＥＰＧ（登録商標）の情報の取得要求を行なう構成をさらに備えた場合における、ＥＰＧ（登録商標）の取得処理の流れの一例を示すフローチャートである。
【図６】図１で示したコンテンツ表示処理装置が、図２で示した録画再生装置で保持しているＥＰＧ（登録商標）の情報の変更有無を問合せる構成をさらに備えた場合における、ＥＰＧ（登録商標）の取得処理の流れの一例を示すフローチャートである。
【図７】図１で示したコンテンツ表示処理装置が、図２で示した録画再生装置で保持しているＥＰＧ（登録商標）の情報の変更通知を受信可能な構成をさらに備えた場合における、ＥＰＧ（登録商標）の取得処理の流れの一例を示すフローチャートである。
【図８】図２で示したコンテンツ表示システムにおいて、低速無線通信を無線ネットワークにて実現する概略構成を示すブロック図である。
【図９】図２で示したコンテンツ表示システムにおいて、低速無線通信を無線ネットワークにて実現し、外部サーバからＥＰＧ（登録商標）の情報の取得する概略構成を示すブロック図である。
【図１０】一般的な壁掛けテレビシステムの接続構成例を示す概略図である。
【符号の説明】
【０２３４】
１    コンテンツ表示処理装置
２    コンテンツ中継処理装置（外部、コンテンツ中継処理装置）
５    録画再生装置（外部）
１０    制御部
１１    電源状態検出部（電源状態検出手段）
１２    受信データ切替指示部
１３    データ受信部
１５    イベント処理部
２１    コンテンツ・番組情報記憶部
３１    高速無線通信部（第１通信部）
３２    低速無線通信部（第２通信部）
７１    主電源部（主電源）
７２    副電源部（副電源）
１３１    データ解析部
１３１１    映像音声抽出部
１３１２    番組情報抽出部
１３２    番組情報取得部（コンテンツ選択情報受信手段、コンテンツ選択情報要求手段）
２１０    制御部
２１３    中継情報切替部
２１５    イベント処理部
２３１    高速無線通信部
２３２    低速無線通信部
２６０    外部機器通信部
２７１    主電源部
２７２    副電源部
４００    コンテンツ表示システム
【図１】
2009253528.tif 000003
【図２】
2009253528.tif 000004
【図３】
2009253528.tif 000005
【図４】
2009253528.tif 000006
【図５】
2009253528.tif 000007
【図６】
2009253528.tif 000008
【図７】
2009253528.tif 000009
【図８】
2009253528.tif 000010
【図９】
2009253528.tif 000011
【図１０】
2009253528.tif 000012